(57)【要約】      （修正有）【課題】垂直方向に取り付ける際にもホルダがずれることがないようにした壁面に長尺のＬＥＤ基板を取り付ける長尺ＬＥＤ照明器具用取付具を提供する。【解決手段】取付時にホルダ１を両側から狭持するホルダ保持部材３と、コの字型の弾性板部材であって全体が波形に形成された規制部材４とを備え、取付時に規制部材４の弾性によりホルダ保持部材３のホルダ１に対する長手方向のずれを規制する。【選択図】図２
0003193451.tif 000002
【実用新案登録請求の範囲】
【請求項１】
多数のＬＥＤ素子を列設してなる長尺状のＬＥＤ基板を一側面上に保持する筒状のホルダの前記一側面に対向する取付面側を壁面等に取り付けるための取付具であって、
取付時に前記ホルダの前記取付面にネジ頭用の空間を介して対面するネジ孔を有する頂壁と、該頂壁の両側から前記ホルダの前記取付面に向かって延びた後該取付面に沿って該取付面に隣接する両側面まで取付時に前記壁面等との間に間隙をおいて延び、前記両側面を通って前記ＬＥＤ基板を保持する前記一側面まで延びて、前記両側面を両側から狭持する一対の狭持部とを備えるホルダ保持部材と、
基部の両端において平行に延びる一対の脚部を有するコの字型の弾性体からなる板部材であって、全体が前記脚部の延びる方向に前記間隙よりも落差の大きい山と谷を繰り返すように波形に形成されてなる規制部材とを備え、
取付時に前記壁面等に対する前記ホルダの長手方向の移動を規制する長尺ＬＥＤ照明器具用取付具。
【請求項２】
取付時に前記ホルダの長手方向の前記規制部材の一対の脚部の各々の先端と、前記基部の脚部を有する側とは反対側の端部がそれぞれ、前記ホルダの前記取付面に摩擦を持って当接する前記谷と、該谷から前記取付面から離れる方向に向けて屈曲する起立片とを有するものである請求項１記載の長尺ＬＥＤ照明器具用取付具。
【考案の詳細な説明】
【技術分野】
【０００１】
本考案は、長尺ＬＥＤ照明器具用の取付具、詳細には多数のＬＥＤ素子を列設してなる長尺状のＬＥＤ基板を一側面上に保持する筒状のホルダの前記一側面に対向する取付面側を壁面等に取り付けるための長尺ＬＥＤ照明器具用取付具に関するものである。
【背景技術】
【０００２】
近年、低消費電力かつ長寿命の照明器具として、ＬＥＤ（発光ダイオード）を用いた照明器具が普及しつつある。ＬＥＤを利用した照明器具としては、例えば、基板上に複数のＬＥＤが配列された発光モジュールを保持するホルダを使用した照明装置が知られている（特許文献１）。上記照明装置で使用されるホルダは、アルミ押出材で形成されており、ホルダは、ホルダの両側面を両側から挟み込んで固定するホルダ保持部材を使用して、壁面等に設置される。
【先行技術文献】
【特許文献】
【０００３】
【特許文献１】実用新案登録第３１８３２２４号公報
【考案の概要】
【考案が解決しようとする課題】
【０００４】
特許文献１に記載されるような照明装置においては、例えば図９に示すように、下部にＬＥＤ基板（図示しない）を保持したホルダ１’を両側から挟持する挟持部３２’を備えた取付具２’を使用して、ホルダ１’を天井や照明器具本体等の被取付構造体に取り付けている。取付方法としては、先ず、ホルダ１’を挟持していない状態の２つの取付具２’を、図９において取付具２’の頂壁３１’の上面が上記被取付構造体側に位置するように、それぞれ一定の間隔をおいて配置し、ネジ孔３１ａ’に頂壁３１’の下面側からネジを差し込んで被取付構造体に固定する。そして、２つの取付具２’を被取付構造体に固定した後で、取付具２’の挟持部３２’にホルダ１’を狭持させる。しかしながら、図９のような構造の照明装置においては、壁面等にホルダ１’を長手方向を水平にして取り付けるときには、ホルダ１’をしっかり固定することができるが、図１０に示すように、例えば壁面等にホルダ１’を長手方向を垂直にして取り付けるときには、ＬＥＤ基板がホルダ１’ごと図１０中の矢印方向、すなわち下にずれ落ちてしまう虞がある。
【０００５】
本考案はかかる問題点に鑑みてなされたもので、壁面等に、ＬＥＤ基板を保持するホルダを取り付けるときに、ホルダがずれ落ちるのを防止して確実に壁面に取り付けることができる取付具を提供することにある。
【課題を解決するための手段】
【０００６】
本考案の取付具は、多数のＬＥＤ素子を列設してなる長尺状のＬＥＤ基板を一側面上に保持する筒状のホルダの前記一側面に対向する取付面側を壁面等に取り付けるための取付具であって、
取付時にホルダの取付面にネジ頭用の空間を介して対面するネジ孔を有する頂壁と、頂壁の両側からホルダの取付面に向かって延びた後取付面に沿って取付面に隣接する両側面まで取付時に壁面等との間に間隙をおいて延び、両側面を通ってＬＥＤ基板を保持する前記一側面まで延びて、両側面を両側から狭持する一対の狭持部とを備えるホルダ保持部材と、
基部の両端において平行に延びる一対の脚部を有するコの字型の弾性体からなる板部材であって、全体が脚部の延びる方向に前記間隙よりも落差の大きい山と谷を繰り返すように波形に形成されてなる規制部材とを備え、
取付時に壁面等に対するホルダの長手方向の移動を規制するようにしたことを特徴とするものである。
【０００７】
なお本考案の取付具において、ホルダの断面形状が、例えば図８の（ａ）に示すように、四角形の場合には、ホルダ１の下面１ＡがＬＥＤ基板５を保持する一側面となり、ホルダ１の上面１Ｂが壁面等に取り付けられる前記一側面に対応する取付面となる。また、ホルダ１の断面形状が、例えば図８の（ｂ）に示すように、円形の場合には、ＬＥＤ基板５を保持している円筒の外面の一部である面１Ａが前記一側面となり、面１Ａと空間を介して対向している円筒の外面の一部である面１Ｂが前記取付面となる。また、ホルダ１の断面形状が、例えば図８の（ｃ）に示すように、二等辺三角形の場合には、ＬＥＤ基板５を保持している、頂点を含む面１Ａすなわち２つの等辺の一部をそれぞれ含む面１Ａが前記一側面となり、前記頂点と空間を介して反対側にある底辺を含む面１Ｂが前記取付面となる。なお、ホルダ１の断面形状が、二等辺三角形の場合であっても、例えば図８の（ｄ）のようにＬＥＤ基板５を保持している面が、前記頂点を含まずに一方の等辺を含む面１Ａだけである場合には、この面１Ａと空間を介して反対側にある底辺を含む面１Ｂが前記取付面となる。また、ホルダ１の断面形状が、例えば図８の（ｅ）に示すように、直角三角形の場合には、ＬＥＤ基板５を保持している、斜辺を含む面１Ａが前記一側面となり、面１Ａと空間を介して反対側にある面１Ｂが前記取付面となる。
【０００８】
なお、本考案の取付具は、取付時にホルダの取付面側に位置する谷の最下点が取付面に摩擦を持って当接し、摩擦による力が、取付時にホルダの自重による移動を規制するものである。
【０００９】
また、本考案の取付具は、取付時にホルダの長手方向の規制部材の一対の脚部の各々の先端と、基部の脚部を有する側とは反対側の端部がそれぞれ、ホルダの取付面に摩擦を持って当接する前記谷と、該谷から取付面から離れる方向に向けて屈曲する起立片とを有するものであってもよい。
【考案の効果】
【００１０】
本考案の取付具は、コの字型の弾性体からなる板部材が波形に形成されてた規制部材とを備え、取付時に壁面等に対するホルダの長手方向の移動を規制しているので、ホルダがずれ落ちる可能性のある角度を有する壁面等に、ＬＥＤ基板を保持するホルダを取り付けるときに、ホルダの長手方向への移動が規制部材によって規制されるため、ホルダがずれ落ちるのを防止することができ、ホルダを確実に壁面に取り付けることができる。
【図面の簡単な説明】
【００１１】
【図１】本考案の一実施の形態に係る取付具２を使用したＬＥＤランプの概略斜視図である。
【図２】ＬＥＤランプ１０の概略分解斜視図である。
【図３】図２の主要部拡大図である。
【図４】図３のIV−IV線における断面図である。
【図５】図１の主要部拡大図である。
【図６】取付具２の取付方法を説明する図である。
【図７】ホルダ１を壁面に取付けたときの一部断面図を含む側面図である。
【図８】本考案のホルダ１の他の実施形態を説明する図である。
【図９】従来のＬＥＤランプの概略斜視図である。
【図１０】図９のＬＥＤランプを壁面に取付けたときの一部断面図を含む側面図である。
【考案を実施するための形態】
【００１２】
以下、本考案の実施の形態について図面を参照して詳細に説明する。
【００１３】
図１は本考案の一実施の形態に係る取付具２を使用したＬＥＤランプ１０の概略斜視図、図２はＬＥＤランプ１０の概略分解斜視図、図３は図２の主要部拡大図、図４は３のIV−IV線における断面図、図５は図１の主要部拡大図、図６は取付具２の取付方法を説明する図、図７はホルダ１を壁面に取付けたときの一部断面図を含む側面図である。
【００１４】
本実施形態のＬＥＤランプ１０は、図１，図２に示すように、多数のＬＥＤ素子５１が列設された長尺状のＬＥＤ基板５と、下面（一側面）１Ａ上にＬＥＤ基板５を保持する筒状のホルダ１と、ホルダ１を挟持してホルダ１の上面（取付面）１Ｂ側を壁面等に取り付けるための２つの取付具２と、取付具２を壁面等に取り付けるためのネジＳとを備えている。
【００１５】
ホルダ１は、アルミニウム材の押し出しによって筒状に成形されており、図１，図２に示すように、断面は略矩形で中空のロ字形状となっている。ホルダ１の下面１Ａには図２に示すように、内側にＬＥＤ基板５が挿入される基板用レール１１が、外側に図示しない細長い筒状の透光カバーが係合するためのカバー用レール１２がそれぞれ長手方向に沿って形成されている。また、ホルダ１の内部の下面両側には、図示しない電気回路基板を保持するための電気回路基板用溝１３がそれぞれ長手方向に沿って形成されている。ＬＥＤ基板５は、ＬＥＤ素子５１が列設された面（図２中、下面）をホルダ１とは反対側に位置させて、つまりＬＥＤ素子５１が配置されていないＬＥＤ基板上面５ａをホルダ１側に位置させて、ホルダ１の長手方向の前面又は後面から基板用レール１１に挿入されて固定される。
ホルダ１の長手方向の前面及び後面には、ＬＥＤ基板５や電気回路基板、透光カバー等が抜け出さないように、それぞれ図示しないキャップが取り付けられる。
【００１６】
取付具２は、図１，図２に示すように、ホルダ１の長手方向において所定間隔をあけて２つ設けられる。なお所定間隔は、ホルダ１をしっかりと挟持することができる間隔であればよく、特に限定されるものではない。本実施形態では、１つのホルダ１に対して２つの取付具２を設けたが、取付具２の個数は特に限定されるものではなく、ホルダ１の長手方向の長さが長い場合にはより多く設けてよいし、ホルダ１の長手方向の長さが短い場合には１つであってもよい。ホルダ１の長手方向の長さによって適宜変更することができる。
【００１７】
取付具２は、図３に示すように、ホルダ保持部材３と規制部材４とを備えている。ホルダ部材３は、取付時にホルダ１の上面１ＢにネジＳのネジ頭用の空間Ａ（図７中の空間Ａ）を介して対面し、略中央に長孔形状のネジ孔３１ａを有する頂壁３１と、頂壁３１の両側からホルダ１の上面１Ｂに隣接する両側面１Ｃを通ってＬＥＤ基板５を保持する下面１Ａまで延びて、両側面１Ｃを両側から狭持する狭持部３２とを備えている。狭持部３２は、ネジ孔３１ａの長手方向両側の両端からそれぞれ下方に延びる側壁３３と、側壁３３の下端部からそれぞれホルダ１の上面１Ｂに沿って延びる上面部３４と、上面部３４の端部から下方に折り曲げられてホルダ１の側面１Ｃに沿って延びる側面部３５と、側面部３５の端部から内側に向かって折り曲げられて、ホルダ１の下面１Ａに沿って突出する突出部３６ａを有し、図５に示すように、ホルダ１の下面１Ａから離れる方向に屈曲する係止片３６を備えている。
【００１８】
図３，５に示すように、頂壁３１の上面と上面部３４の上面との間は、間隙Ｈ１を有している。すなわち取付時には、頂壁３１の上面が壁面等に当接するので壁面等と上面部３４の上面との間は間隙Ｈ１を有している。なお側壁３３の高さｈは、使用するネジＳのネジ頭の高さとワッシャーの高さとを合わせた高さよりも高く形成されている。
【００１９】
また、挟持部３２は弾性を有しており、ホルダ１を挟持したときに、ホルダ１の両側面１Ｃを両側からしっかりと保持できるようになっている。そして、挟持部３２の両側の側面部３５及び係止片３６をそれぞれ外方に広げることにより、ホルダ１を下方から挿入できるようになっている。突出部３６ａは、ホルダ１のカバー用レール１２に係合可能に構成されており、挟持部３２にホルダ１を挿入した後で側面部３５がそれぞれ内方へ戻ると、両側の突出部３６ａがそれぞれカバー用レール１２の近傍のホルダ１の下面に係合するので、挟持部３２はホルダ１をしっかりと挟持することができる。
【００２０】
規制部材４は、図３〜図５に示すように、略矩形の基部４１の両端において平行に延びる一対の脚部４２，４３を有するコの字型の弾性体からなる板部材で形成されている。規制部材４は、全体が脚部４２，４３の延びる方向に基部４１側から順に、谷４１ａ、山４１ｂ、谷４２ａ，４３ａ、山４２ｃ，４３ｃ、谷４２ｂ，４３ｂとなるように波形に形成されている。
【００２１】
基部４１の脚部４２，４３を有する側とは反対側の端部と脚部４２，４３の各々の先端は、それぞれホルダ１の上面Ｂに摩擦を持って当接する谷４１ａ、谷４２ｂ，４３ｂと、谷４１ａ、谷４２ｂ，４３ｂからホルダ１の上面１Ｂから離れる方向に向けて屈曲する起立片４１ｄ、起立片４２ｄ，４３ｄとを備えており、谷４１ａ、谷４２ｂ，４３ｂの最下点がホルダ１の上面Ｂに当接することにより、摩擦力によってホルダ１の長手方向の移動を規制する。
【００２２】
また規制部材４は、図５に示すように、取付時に、脚部４２，４３の谷４２ａ，４３ａの最下点が狭持部３２の上面部３４の上面に当接する。規制部材４は、図４，５に示すように、山４１ｂ，４２ｃ，４３ｃと谷４２ａ，４３ａとが落差Ｈ２、山４１ｂ，４２ｃ，４３ｃと谷４２ａ，４３ａとが落差Ｈ３となっており、落差Ｈ３は落差Ｈ２よりも大きく形成されている。また落差Ｈ２，Ｈ３はそれぞれ図３の間隙Ｈ１よりも大きく形成されている。
【００２３】
次に上記のように構成されたＬＥＤランプ１０を壁面に固定する方法について説明する。
【００２４】
まずは、ホルダ保持部材３の頂壁３１の下面（図２中の下側の面）側からネジ孔３１ａ，４１ａにネジＳを差し込んでホルダ保持部材３を壁面に仮固定する。本実施形態では、図７に示すように、上下方向に所定の間隔をあけて２つ取付具２を壁面に取り付ける。このとき所定の間隔は、ホルダ１の長手方向の長さによって適宜決定される。なお図示はしていないが、ネジＳと頂壁３１の下面との間にはワッシャーを介在させる。
【００２５】
次に、図６に示すように、壁面にホルダ保持部材３を仮固定した後で、規制部材４を山４１ｂ、山４２ｃ，４３ｃが壁側に位置するようにして、脚部４２，４３の先端からスライドさせて、脚部４２，４３をそれぞれホルダ保持部材３の上面部３４の下すなわち図３の間隙Ｈ１に滑り込ませる。なお脚部４２，４３の谷４２ａ，４３ａの最下点（図６中では最上点）がホルダ保持部材３の上面部３４の下にくるように位置させておく。このとき山４１ｂ，４２ｃ，４３ｃは壁面に当接する。
【００２６】
図３に示すホルダ保持部材３の上面部３４と壁との間隙Ｈ１は、図４に示す落差Ｈ２及び落差Ｈ３よりも小さく形成されているが、規制部材４は弾性体からなる板部材で形成されているので、脚部４２，４３をホルダ保持部材３の上面部３４の下に滑り込ませるときには、落差Ｈ２及び落差Ｈ３の値が小さくなる方向へ変形させることができる。そして脚部４２，４３の谷４２ａ，４３ａの最下点（図６中では最上点）がホルダ保持部材３の上面部３４の下に位置したとき、落差Ｈ２及び落差Ｈ３の値が小さくなる方向から元の形状へ復帰することにより変形脚部４２，４３の谷４２ａ，４３ａの最下点（図６中では最上点）が上面部３４に当接する。その後、ネジＳを完全に締め込む。
【００２７】
ネジＳを完全に締め込むことで、ホルダ保持部材３の上面部３４はより壁面側に移動することになり、脚部４２，４３は上面部３４によって落差Ｈ２及び落差Ｈ３の値が小さくなる方向に押し込まれるが、脚部４２，４３の弾性力により変形脚部４２，４３の谷４２ａ，４３ａの最下点（図６中では最上点）が上面部３４に摩擦を持って当接するので、規制部材４は壁面とホルダ保持部材３との間にしっかりと保持されて、壁面にしっかりと固定される。
【００２８】
次に、ＬＥＤ基板３を保持したホルダ１を、壁面に固定した２つの取付具２の挟持部３２に挿入し、図５に示すように、挟持部３２にホルダ１の側面を保持させる。以上のようにして、ホルダ１を壁面に固定する。
【００２９】
本考案において特徴的なのは、取付具２が規制部材４を備えていることである。ホルダ１の長手方向が地面に対して垂直になるように、取付具２を使用してホルダ１を壁面に固定したときに、図７に示すように、規制部材４の谷４１ａ、谷４２ｂ，４３ｂの最下点がそれぞれホルダ１の上面１Ｂに当接するので、ホルダ１の自重によりホルダ１が下方向へ移動しようとするときに谷４１ａ、谷４２ｂ，４３ｂの最下点とホルダ１の上面１Ｂとの間に生じる摩擦力によって、規制部材４の谷４１ａ、谷４２ｂ，４３ｂの最下点がホルダ１の長手方向すなわち下方向の移動を規制することになり、ホルダ１がＬＥＤ基板３と共に落下してしまうのを防止することができる。これにより取付具２を使用することによって、壁面等に、ＬＥＤ基板３を保持するホルダ１を、長手方向を垂直にしてしっかりと固定することができる。
【００３０】
なお、上述した実施形態のＬＥＤランプ１０はホルダ１の形状を、断面が略矩形で中空のロ字形状としたが、本考案はこれに限定されるものではなく、規制部材４の脚片４４の先端４３が当接可能な面を有する形状であればよい。例えば図８の（ｂ）〜（ｅ）に示すように、ホルダ１の断面が円形であっても良いし、二等辺三角形であっても良いし、直角三角形であっても良いし、ＬＥＤ素子５１の配列等に応じて適宜変更することができる。
【００３１】
また、上述した実施形態の取付具２の規制部材４は、全体が脚部４２，４３の延びる方向に基部４１側から順に、谷４１ａ、山４１ｂ、谷４２ａ，４３ａ、山４２ｃ，４３ｃ、谷４２ｂ，４３ｂとなるように波形に形成されているものとしたが、本考案はこれに限定されるものではなく、より多くの山と谷を有する波形であってもよい。
【００３２】
また、上記実施形態においては、ホルダ１を地面に対して略垂直な壁面に取り付ける態様としたが、本考案はこれに限られるものではなく、例えば地面に対して斜めな壁面に取り付けても良い。本考案は、壁面が地面に対して、ホルダ１がずれ落ちる可能性のある角度を有する場合に上述した効果を得ることができる。また上記実施形態においては、ホルダ１を壁面に取り付ける態様としたが、本考案はこれに限られるものではなく、例えば照明器具本体等の被取付構造体に取り付ける態様であってもよい。
【符号の説明】
【００３３】
１        ホルダ
１Ａ      下面（一側面）
１Ｂ      上面（取付面）
１Ｃ      側面
１０      ＬＥＤランプ
２        取付具
３        ホルダ保持部材
３１      頂壁
３１ａ    ネジ孔
３２      狭持部
４        規制部材
４１      基部
４２，４３    脚部
４１ｂ，４２ｃ，４３ｃ    山
４１ａ，４２ａ，４３ａ，４２ｂ，４３ｂ    谷
４１ｄ，４２ｄ，４３ｄ    起立片
５        ＬＥＤ基板
５ａ      ＬＥＤ基板上面
５１      ＬＥＤ素子
Ｈ１      間隙
Ｈ２，Ｈ３    落差
【図１】
0003193451.tif 000003
【図２】
0003193451.tif 000004
【図３】
0003193451.tif 000005
【図４】
0003193451.tif 000006
【図５】
0003193451.tif 000007
【図６】
0003193451.tif 000008
【図７】
0003193451.tif 000009
【図８】
0003193451.tif 000010
【図９】
0003193451.tif 000011
【図１０】
0003193451.tif 000012